(57)【要約】【課題】同一タイヤのタイヤ外形の経時変化の評価や、同一サイズの異なるタイヤのタイヤ外形どうしの比較を、簡易かつ正確に行うことを可能にする。【解決手段】この発明のタイヤ外形計測装置１は、タイヤ幅方向に沿うタイヤ外形図の未処理データを取得し、これを処理する、処理部１０を備え、処理部１０は、タイヤ幅方向に沿うタイヤの外形のうち少なくとも一対のリムラインＲＬを含むリムライン表示タイヤ外形図の未処理データを取得し、未処理データ中の、リムライン表示タイヤ外形図に表される、一対のリムラインＲＬの位置を基準として、未処理データを処理する。【選択図】図１
2015021928.tif 000002
【特許請求の範囲】
【請求項１】
タイヤ幅方向に沿うタイヤ外形図の未処理データを取得し、これを処理する、処理部を備え、
前記処理部は、
タイヤ幅方向に沿うタイヤの外形のうち少なくとも一対のリムラインを含むリムライン表示タイヤ外形図の未処理データを取得し、
前記未処理データ中の、前記リムライン表示タイヤ外形図に表される、前記一対のリムラインの位置を基準として、前記未処理データを処理することを特徴とする、タイヤ外形計測装置。
【請求項２】
前記未処理データの処理は、前記未処理データ中の、前記リムライン表示タイヤ外形図に表される、前記一対のリムラインを通る直線を所定の横基準線に設定し、前記一対のリムラインどうしを結ぶ線分の垂直二等分線を前記横基準線と直交する所定の縦基準線に設定することを含む、請求項１に記載のタイヤ外形計測装置。
【請求項３】
前記処理部は、前記横基準線及び前記縦基準線の設定を行う際に、前記リムライン表示タイヤ外形図に表される前記一対のリムラインを通る直線と前記一対のリムラインどうしを結ぶ線分の垂直二等分線とが、それぞれ前記横基準線及び前記縦基準線と重なるように、前記リムライン表示タイヤ外形図を回転移動及び／又は平行移動させる、請求項２に記載のタイヤ外形計測装置。
【請求項４】
タイヤ幅方向に沿うタイヤの外形のうち少なくとも一対のリムラインを含むタイヤ外形を光学的に測定して、測定データを出力する、測定部をさらに備え、
前記処理部は、前記測定データに基づいて、前記リムライン表示タイヤ外形図の未処理データを取得する、請求項１〜３のうちいずれか一項に記載のタイヤ外形計測装置。
【請求項５】
タイヤに取り外し可能に取り付けられ、前記測定部をタイヤの外表面に対して所定の相対位置に保持する、保持部をさらに備えている、請求項４に記載のタイヤ外形計測装置。
【請求項６】
タイヤ幅方向に沿うタイヤの外形のうち少なくとも一対のリムラインを含むリムライン表示タイヤ外形図の未処理データを取得する、取得ステップと、
前記未処理データ中の、前記リムライン表示タイヤ外形図に表される、前記一対のリムラインの位置を基準として、前記未処理データを処理する、処理ステップと、
を含むことを特徴とする、タイヤ外形計測方法。
【請求項７】
前記処理ステップにおいて、前記未処理データの処理は、前記未処理データ中の、前記リムライン表示タイヤ外形図に表される、前記一対のリムラインを通る直線を所定の横基準線に設定し、前記一対のリムラインどうしを結ぶ線分の垂直二等分線を前記横基準線と直交する所定の縦基準線に設定することを含む、請求項６に記載のタイヤ外形計測方法。
【請求項８】
前記処理ステップでは、前記横基準線及び前記縦基準線の設定を行う際に、前記リムライン表示タイヤ外形図に表される前記一対のリムラインを通る直線と前記一対のリムラインどうしを結ぶ線分の垂直二等分線とが、それぞれ前記横基準線及び前記縦基準線と重なるように、前記リムライン表示タイヤ外形図を回転移動及び／又は平行移動させる、請求項７に記載のタイヤ外形計測方法。
【請求項９】
タイヤ幅方向に沿うタイヤの外形のうち少なくとも一対のリムラインを含むタイヤ外形を光学的に測定して、測定データを出力する、測定ステップをさらに含み、
前記取得ステップでは、前記測定データに基づいて、前記リムライン表示タイヤ外形図の未処理データを取得する、請求項６〜８のうちいずれか一項に記載のタイヤ外形計測方法。
【請求項１０】
タイヤ幅方向に沿うタイヤ外形図の未処理データを取得し、これを処理する、処理部を備えたタイヤ外形計測装置における、前記処理部に実行させる、タイヤ外形計測プログラムであって、
タイヤ幅方向に沿うタイヤの外形のうち少なくとも一対のリムラインを含むリムライン表示タイヤ外形図の未処理データを取得する、取得ステップと、
前記未処理データ中の、前記リムライン表示タイヤ外形図に表される、前記一対のリムラインの位置を基準として、前記未処理データを処理する、処理ステップと、
を前記処理部に実行させることを特徴とする、タイヤ外形計測プログラム。
【発明の詳細な説明】
【技術分野】
【０００１】
この発明は、タイヤ外形計測装置、タイヤ外形計測方法及びタイヤ外形計測プログラムに関するものである。
【背景技術】
【０００２】
あるタイヤのトレッド部でのタイヤ外形の経時変化を評価する際には、作業員がタイヤのトレッド部の溝深さをゲージ測定し、その測定値に基づいてタイヤ外形の経時変化を評価することがある。また、タイヤにおける溝が形成されていないショルダー部等での偏摩耗や、タイヤ内圧の大幅な低下等の異常を評価する際には、作業員がタイヤ外表面を目視することにより評価することがある。
【発明の概要】
【発明が解決しようとする課題】
【０００３】
しかしながら、上述したようなタイヤ外形の評価方法では、同一タイヤのタイヤ外形の経時変化量（例えばショルダー部等での摩耗量や曲率変化量）を、定量的に正確に評価することができなかった。一方、タイヤをタイヤ保持用装置に取り付けた状態で、当該装置から離れた位置に設置された形状測定センサーによりタイヤ外形を測定して、同様の評価を行う方法もある。しかし、測定毎にタイヤやセンサーの取り付け方がばらつくことにより、依然として定量的かつ正確な評価が困難であるという問題があった。なお、同一サイズ（タイプ）の異なるタイヤのタイヤ外形どうしを比較する際にも、同様の問題があった。
【０００４】
この発明は、上記のような問題を解決することを課題とするものであり、それの目的とするところは、同一タイヤのタイヤ外形の経時変化の評価や、同一サイズの異なるタイヤのタイヤ外形どうしの比較を、簡易かつ正確に行うことを可能にする、タイヤ外形計測装置、タイヤ外形計測方法及びタイヤ外形計測プログラムを提供することにある。
【課題を解決するための手段】
【０００５】
この発明のタイヤ外形計測装置は、タイヤ幅方向に沿うタイヤ外形図の未処理データを取得し、これを処理する、処理部を備え、前記処理部は、タイヤ幅方向に沿うタイヤの外形のうち少なくとも一対のリムラインを含むリムライン表示タイヤ外形図の未処理データを取得し、前記未処理データ中の、前記リムライン表示タイヤ外形図に表される、前記一対のリムラインの位置を基準として、前記未処理データを処理することを特徴とする。一般的に、タイヤの使用によるリムライン付近でのタイヤ外形の変形は起こりにくく、また、同一サイズのタイヤではリムラインが同一の位置に設けられることから、上記この発明のタイヤ外形計測装置によれば、同一タイヤのタイヤ外形の経時変化の評価や、同一サイズの異なるタイヤのタイヤ外形どうしの比較を、簡易かつ正確に行うことができる。
【０００６】
ここで、「リムライン」とは、タイヤの一対のサイド部の外表面の適用リムからの離反位置近傍に、タイヤ周方向に沿って円環状に形成された、一対又は二対以上の突条であり、一般的には、タイヤの、適用リムへの組付け状態の適否についての目視判断の基準とされるものである。なお、リムラインを二対以上有するタイヤの場合には、両サイド部で対応するいずれか一対のリムラインを上記「リムライン」とするものとする。
なお、「適用リム」とは、タイヤサイズに応じて下記の規格に規定された標準リム（下記ＴＲＡのＹＥＡＲ  ＢＯＯＫでは“Ｄｅｓｉｇｎ  Ｒｉｍ”と規定。下記ＥＴＲＴＯのＳＴＡＮＤＡＲＤＳ  ＭＡＮＵＡＬでは“Ｍｅａｓｕｒｉｎｇ  Ｒｉｍ”と規定。）をいう。そして、その規格とは、タイヤが生産または使用される地域に有効な産業規格によって決められたものであり、例えば、アメリカ合衆国では、“ＴＨＥ  ＴＩＲＥ  ＡＮＤ  ＲＩＭ  ＡＳＳＯＣＩＡＴＩＯＮ  ＩＮＣ．（ＴＲＡ）”の“ＹＥＡＲ  ＢＯＯＫ”であり、欧州では、“Ｔｈｅ  Ｅｕｒｏｐｅａｎ  Ｔｙｒｅ  ａｎｄ  Ｒｉｍ  Ｔｅｃｈｎｉｃａｌ  Ｏｒｇａｎｉｚａｔｉｏｎ（ＥＴＲＴＯ）”の“ＳＴＡＮＤＡＲＤＳ  ＭＡＮＵＡＬ”であり、日本では、“日本自動車タイヤ協会（ＪＡＴＭＡ）”の“ＪＡＴＭＡ  ＹＥＡＲ  ＢＯＯＫ”である。
【０００７】
この発明のタイヤ外形計測装置において、前記未処理データの処理は、前記未処理データ中の、前記リムライン表示タイヤ外形図に表される、前記一対のリムラインを通る直線を所定の横基準線に設定し、前記一対のリムラインどうしを結ぶ線分の垂直二等分線を前記横基準線と直交する所定の縦基準線に設定することを含むことが好ましい。これにより、同一タイヤのタイヤ外形の経時変化の評価や、同一サイズの異なるタイヤのタイヤ外形どうしの比較を、より簡易かつ正確に行うことができる。
【０００８】
この発明のタイヤ外形計測装置において、前記処理部は、前記横基準線及び前記縦基準線の設定を行う際に、前記リムライン表示タイヤ外形図に表される前記一対のリムラインを通る直線と前記一対のリムラインどうしを結ぶ線分の垂直二等分線とが、それぞれ前記横基準線及び前記縦基準線と重なるように、前記リムライン表示タイヤ外形図を回転移動及び／又は平行移動させることが好ましい。これにより、リムライン表示タイヤ外形図を、所期した位置に所期した姿勢で表すことができる。
【０００９】
この発明のタイヤ外形計測装置は、タイヤ幅方向に沿うタイヤの外形のうち少なくとも一対のリムラインを含むタイヤ外形を光学的に測定して、測定データを出力する、測定部をさらに備え、前記処理部は、前記測定データに基づいて、前記リムライン表示タイヤ外形図の未処理データを取得することが好ましい。これにより、一対のリムラインの位置を正確にリムライン表示タイヤ外形図に表すことができる。
【００１０】
この発明のタイヤ外形計測装置は、タイヤに取り外し可能に取り付けられ、前記測定部をタイヤの外表面に対して所定の相対位置に保持する、保持部をさらに備えていることが好ましい。これにより、測定部によるタイヤ外形の測定を安定的に実施することができる。
【００１１】
この発明のタイヤ外形計測方法は、タイヤ幅方向に沿うタイヤの外形のうち少なくとも一対のリムラインを含むリムライン表示タイヤ外形図の未処理データを取得する、取得ステップと、前記未処理データ中の、前記リムライン表示タイヤ外形図に表される、前記一対のリムラインの位置を基準として、前記未処理データを処理する、処理ステップと、
を含むことを特徴とする。上記この発明のタイヤ外形計測方法によれば、同一タイヤのタイヤ外形の経時変化の評価や、同一サイズの異なるタイヤのタイヤ外形どうしの比較を、簡易かつ正確に行うことができる。
【００１２】
この発明のタイヤ外形計測方法では、前記処理ステップにおいて、前記未処理データの処理は、前記未処理データ中の、前記リムライン表示タイヤ外形図に表される、前記一対のリムラインを通る直線を所定の横基準線に設定し、前記一対のリムラインどうしを結ぶ線分の垂直二等分線を前記横基準線と直交する所定の縦基準線に設定することを含むことが好ましい。上記この発明のタイヤ外形計測方法によれば、同一タイヤのタイヤ外形の経時変化の評価や、同一サイズの異なるタイヤのタイヤ外形どうしの比較を、より簡易かつ正確に行うことができる。
【００１３】
この発明のタイヤ外形計測方法において、前記処理ステップでは、前記横基準線及び前記縦基準線の設定を行う際に、前記リムライン表示タイヤ外形図に表される前記一対のリムラインを通る直線と前記一対のリムラインどうしを結ぶ線分の垂直二等分線とが、それぞれ前記横基準線及び前記縦基準線と重なるように、前記リムライン表示タイヤ外形図を回転移動及び／又は平行移動させることが好ましい。これにより、リムライン表示タイヤ外形図を、所期した位置に所期した姿勢で表すことができる。
【００１４】
この発明のタイヤ外形計測方法において、タイヤ幅方向に沿うタイヤの外形のうち少なくとも一対のリムラインを含むタイヤ外形を光学的に測定して、測定データを出力する、測定ステップをさらに含み、前記取得ステップでは、前記測定データに基づいて、前記リムライン表示タイヤ外形図の未処理データを取得することが好ましい。これにより、一対のリムラインの位置を正確にリムライン表示タイヤ外形図に表すことができる。
【００１５】
この発明のタイヤ外形計測プログラムは、タイヤ幅方向に沿うタイヤ外形図の未処理データを取得し、これを処理する、処理部を備えたタイヤ外形計測装置における、前記処理部に実行させる、タイヤ外形計測プログラムであって、タイヤ幅方向に沿うタイヤの外形のうち少なくとも一対のリムラインを含むリムライン表示タイヤ外形図の未処理データを取得する、取得ステップと、前記未処理データ中の、前記リムライン表示タイヤ外形図に表される、前記一対のリムラインの位置を基準として、前記未処理データを処理する、処理ステップと、を前記処理部に実行させることを特徴とする。上記この発明のタイヤ外形計測プログラムによれば、同一タイヤのタイヤ外形の経時変化の評価や、同一サイズの異なるタイヤのタイヤ外形どうしの比較を、簡易かつ正確に行うことができる。
【発明の効果】
【００１６】
この発明によれば、同一タイヤのタイヤ外形の経時変化の評価や、同一サイズの異なるタイヤのタイヤ外形どうしの比較を、簡易かつ正確に行うことを可能にする、タイヤ外形計測装置、タイヤ外形計測方法及びタイヤ外形計測プログラムを提供することができる。
【図面の簡単な説明】
【００１７】
【図１】本発明のタイヤ外形計測装置の第１実施形態に係る構成を示す概要図である。
【図２】図１のタイヤ外形計測装置の一部を構成する情報端末の構成を示す機能ブロック図である。
【図３】本発明のタイヤ外形計測装置の第１実施形態に係る処理を示すフローチャートである。
【図４】図３の処理を実行中での表示部による表示例を示す図である。
【図５】図３の処理を実行中での表示部による表示例を示す図である。
【図６】図３の処理を実行中での表示部による表示例を示す図である。
【図７】本発明のタイヤ外形計測装置の第２実施形態に係る構成の一部を示す概要図である。
【発明を実施するための形態】
【００１８】
以下に図面を参照しつつ、この発明の実施の形態について例示説明する。
【００１９】
（第１実施形態）
図１〜図６は、本発明の第１実施形態を示すものである。まず、図１及び図２を参照して、本実施形態に係るタイヤ外形計測装置１の構成を説明する。タイヤ外形計測装置１は、タイヤ幅方向に沿うタイヤ２の外形を計測するものである。タイヤ外形計測装置１には、例えば航空機用タイヤ、建設車両用タイヤ、トラック・バス用タイヤ等、あらゆるタイプのタイヤ２を使用することができ、また、タイヤ２は、図１に示すようにトレッドゴムを有する状態に限られず、タイヤのリトレッドに使用するトレッドゴムを有しない台タイヤの状態等、任意の状態で使用されることができる。タイヤ外形計測装置１は、情報端末１００と、アンプ２００と、可搬式の計測器３００とを備えている。
【００２０】
計測器３００は、測定部３０と、保持部３５とを有し、タイヤ２に取り付けられて、タイヤ外形の測定データを出力する。なお、ユーザによる計測器３００の持ち運びを容易にするために、計測器３００の重量を１０ｋｇ以下とすることが好ましい。
【００２１】
測定部３０は、タイヤ幅方向に沿うタイヤ２の外形のうち少なくとも一対のリムラインＲＬを含むタイヤ外形を光学的に測定して、測定データを出力するように構成されており、１つ又は複数（好ましくは３つ以上、図１の例では６つ）の光学測定器３０a〜３０ｆを有している。なお、「タイヤ幅方向に沿うタイヤ２の外形のうち少なくとも一対のリムラインＲＬを含むタイヤ外形」とは、図の例のように、タイヤ幅方向に沿うタイヤ２の外形のうち一対のリムラインＲＬ及びその周辺部分のタイヤ外形に加えて、タイヤ幅方向に沿うタイヤ２の外形のうちトレッド部及び／又はショルダー部のタイヤ外形を含むことが好ましい。光学測定器３０ａ〜３０ｆは、それぞれ、タイヤ幅方向に沿うタイヤ２の外形のうち少なくとも一部分（図の例では一部分）を測定し、その測定データを通信ケーブル４０１を介してアンプ２００に出力する。光学測定器３０ａ〜３０ｆとしては、例えば、帯状に広げられたレーザ光をタイヤ２の外表面に向けてタイヤ幅方向に沿って照射し、タイヤ２の外表面からの反射光に基づいて、タイヤ２の外形を測定するものを用いることができるが、これに限られない。図１に示す例では、一対の光学測定器３０ａ、３０ｂが、タイヤ幅方向に沿うタイヤ２の外形のうち一対のリムラインＲＬ及びその周辺部分を測定し、他の４つの光学測定器３０ｃ〜３０ｆが、タイヤ幅方向に沿うタイヤ２の外形のうちトレッド部及びショルダー部を測定するように、それぞれ配置されている。
【００２２】
保持部３５は、タイヤ２に取り外し可能に取り付けられ、測定部３０をタイヤ２の外表面に対して所定の相対位置に保持する。これにより、測定部３０がタイヤ２に対して動かず、測定部３０によるタイヤ外形の測定を安定的に実施することができる。ここで、「取り外し可能に取り付けられ」とは、単に載置される場合も含む。また、「測定部３０をタイヤ２の外表面に対して所定の相対位置に保持する」とは、測定部３０を構成する各光学測定器３０ａ〜３０ｆのそれぞれを、タイヤ２の外表面のうち任意の部分から任意の距離だけ離れた位置に保持してもよいことを意味する。図１に示す例において、保持部３５は、タイヤ周方向に互いに対向するように配置された一対の支持板３７がタイヤ２のトレッド部の外表面上に載置され、４つの脚３８が２つずつタイヤ２のタイヤ幅方向外側に配置された状態で、タイヤ２に取り外し可能に取り付けられている。このとき、保持部３５は、これらの脚３８によって、一対のリムラインＲＬ及びその周辺部分のタイヤ外形を測定する一対の光学測定器３０ａ、３０ｂのそれぞれを、一対のリムラインＲＬからタイヤ幅方向外側へ所定距離だけ離れた位置に保持している。また、保持部３５は、天井板３９によって、トレッド部及びショルダー部のタイヤ外形を測定する４つの光学測定器３０ｃ〜３０ｆのそれぞれを、それぞれのタイヤ幅方向位置におけるトレッド部のタイヤ外表面のタイヤ径方向最外位置から所定距離だけ離れた位置に保持している。さらに、図１に示す例において、保持部３５の天井板３９の上面には、一対のハンドル３６が設けられており、これによりユーザによる計測器３００の持ち運びを容易にしている。なお、本例では、保持部３５の一対の支持板３７、４つの脚３８及び天井板３９どうし並びに各光学測定器３０ａ〜３０ｆが互いに一体的に固定されており、保持部３５及び測定部３０が１ユニットとして構成されている。これにより、各光学測定器３０ａ〜３０ｆどうしの相対位置が固定されるので、より安定的かつ正確にタイヤ外形を測定することができる。なお、測定部３０（各光学的測定器３０ａ〜３０ｆ）が、保持部３５に脱着可能に、保持部３５とは別体で構成されていてもよい。
【００２３】
アンプ２００は、通信ケーブル４０１により測定部３０に接続されているとともに、通信ケーブル４０２により情報端末１００に接続されている。アンプ２００は、測定部３０を制御するとともに、測定部３０から測定データを受信すると、これを必要に応じて増幅等して情報端末１００に送信する。ここで、アンプ２００は、測定部３０から受信する測定データを、内部に蓄積してもよい。また、図１に示すように、アンプ２００は、ユーザによるアンプ２００の搬送が容易となるように、車輪が設けられてもよい。また、アンプ２００は、コンセント等の固定電源から電力を供給されてもよいし、図示しない電源ユニットから電力を供給されてもよい。電源ユニットを用いる場合、ユーザによる電源ユニットの搬送が容易となるように、電源ユニットに車輪が設けられてもよい。
【００２４】
情報端末１００は、例えばＰＣやタブレット端末等で構成することができ、図１及び図２に示すように、処理部１０と、表示部１１と、入力部１２と、記憶部１３とを、備えている。
【００２５】
処理部１０は、１つ又は複数の中央処理装置（ＣＰＵ）等で構成されており、記憶部１３に記憶されたタイヤ外形計測プログラム１４を実行して、表示部１１、入力部１２、記憶部１３を含む、情報端末１００の全体を制御することで、タイヤ幅方向に沿うタイヤ外形図のデータ（未処理データ）を取得し、これを処理する。
【００２６】
表示部１１は、例えば液晶ディスプレイ（ＬＣＤ）等で構成されており、記憶部１３に記憶されるタイヤ外形図のデータ等の各種の情報を表示する。なお、本明細書において、「タイヤ外形図のデータ」とは、その電子データ自体を意味する場合以外にも、その電子データに基づき表示されるタイヤ外形図を意味する場合もある。
【００２７】
入力部１２は、ユーザからの入力を受け付ける。入力部１２は、図１に示す例では、マウス及びキーパッドで構成されているが、その他にも、押しボタンやデジタルペン等で構成されてもよいし、又は、表示部１１とともにタッチパネルを構成してもよい。
【００２８】
記憶部１３は、例えばＲＡＭ及びＲＯＭのうち少なくともいずれか一方を１つ又は複数有しており、処理部１０に実行させるためのタイヤ外形計測プログラム１４、測定部３０からアンプ２００を介して情報端末１００が取得する測定データ、タイヤ外形図のデータ等の、各種の情報を、記憶する。ここで、記憶部１３に記憶されるタイヤ外形図のデータとしては、処理部１０がタイヤ外形計測プログラム１４を実行することにより得られるタイヤ外形図のデータの他、タイヤの設計図等に基づいて作成されたタイヤ外形のデータ等を含んでもよい。
【００２９】
次に、図３〜図６を主に参照して、本実施形態に係るタイヤ外形計測装置１によるタイヤ外形計測処理の一例を説明する。なお、この処理は、処理部１０がタイヤ外形計測プログラム１４を実行して行うものである。逆に言うと、タイヤ外形計測プログラム１４は、所定の各ステップを処理部１０に実行させるものである。
【００３０】
まず、ユーザによって、可搬式の計測器３００がタイヤ２に取り付けられ、情報端末１００上で入力部１２の操作によって計測開始の指示が入力されると、処理部１０は、アンプ２００に計測開始を指示する。すると、アンプ２００によって測定部３０が制御され、測定部３０は、光学測定器３０ａ〜３０ｆからの個々の測定データを、タイヤ幅方向に沿う評価対象のタイヤ２の外形のうち少なくとも一対のリムラインＲＬを含むタイヤ外形の測定データとして、アンプ２００に出力する。アンプ２００は、測定部３０から測定データを受信すると、これを必要に応じて増幅して情報端末１００に送信する。このようにして、処理部１０は、このタイヤの外形の測定データを取得すると（ステップＳ１）、この測定データに基づいて、図４に示すような、タイヤ幅方向に沿うタイヤの外形のうち少なくとも一対のリムラインを含むタイヤ外形図のデータ（リムライン表示タイヤ外形図の未処理データ）を生成（取得）する（ステップＳ２）。ここで、本例において、このリムライン表示タイヤ外形図の未処理データは、所定の２次元直交座標系（ＸＹ座標系）のデータである。処理部１０は、光学測定器３０ａ〜３０ｆからの個々の測定データをＸＹ座標系上で組み合わせる等することにより、このリムライン表示タイヤ外形図の未処理データを取得する。そして、処理部１０は、取得した未処理データのリムライン表示タイヤ外形図を、ＸＹ座標軸とともに表示部１１に表示させるとともに、当該未処理データを記憶部１３に記憶させる。ステップＳ１〜Ｓ２において、光学的な測定により得られた測定データに基づいて、リムライン表示タイヤ外形図の未処理データを取得することにより、一対のリムラインＲＬの位置を正確にリムライン表示タイヤ外形図に表すことができる。なお、本例では、ＸＹ座標系を用いて未処理データの取得や横基準線及び縦基準線の設定を行うが、ＸＹ座標系を用いずに未処理データの取得や横基準線及び縦基準線の設定を行ってもよい。
【００３１】
ここで、この未処理データのリムライン表示タイヤ外形図は、予め設定された所定のＸＹ座標系において、所期した位置に所期した姿勢で表れるとは限らず、ユーザによる計測器３００のタイヤ２への取り付け方によっては、例えば図４に示すように右側に傾いたり、逆に左側に傾いたりする場合がある。したがって、この未処理データのリムライン表示タイヤ外形図が、他のタイヤの外形図と比較される際に、両図がＸＹ座標系において同一位置に同一の姿勢で表れない場合があり、そのような場合、正確に比較をすることができない。このことに鑑みて、以降のステップＳ３及びＳ４では、リムライン表示タイヤ外形図がＸＹ座標系において所期した位置に所期した姿勢で表れるように、未処理データを処理（横基準線及び縦基準線の設定）する。
【００３２】
ステップＳ２の後、処理部１０は、例えば表示部１１に「リムラインを指定してください」というメッセージを表示させつつ、ユーザによる入力部１２の操作によって、未処理データのリムライン表示タイヤ外形図における、一対のリムラインＲＬの位置を示す点（以下、単に「リムラインＲＬ」という場合がある。）が指定されるまで待機する（ステップＳ３、Ｎｏ）。
【００３３】
一対のリムラインＲＬが指定されると（ステップＳ３、Ｙｅｓ）、処理部１０は、未処理データ中の、リムライン表示タイヤ外形図に表される、一対のリムラインＲＬの位置を基準として、未処理データを処理する。未処理データの具体的な処理の一例として、本実施形態では、処理部１０は、未処理データ中の、リムライン表示タイヤ外形図に表される、一対のリムラインＲＬを通る直線Ｌ１を所定の横基準線Ｌ３に設定し、一対のリムラインＲＬどうしを結ぶ線分の垂直二等分線Ｌ２を、横基準線Ｌ３と直交する所定の縦基準線Ｌ４に設定する（ステップＳ４）。ここで、横基準線Ｌ３及び縦基準線Ｌ４は、それぞれ予め設定された所定のＸＹ座標系のＸ軸及びＹ軸と一致する必要はないが、図の例のように、それぞれＸ軸及びＹ軸と平行に延びる（図の例では、縦基準線Ｌ４はＹ軸と一致している）ことが好ましい。具体的には例えば、処理部１０は、横基準線Ｌ３及び縦基準線Ｌ４の設定を行う際、図５に示すように、リムライン表示タイヤ外形図に表される一対のリムラインＲＬを通る直線Ｌ１と、一対のリムラインＲＬどうしを結ぶ線分の垂直二等分線Ｌ２とが、それぞれ所定の横基準線Ｌ３及び縦基準線Ｌ４と重なるように、リムライン表示外形図を回転移動及び／又は平行移動（図の例では反時計回りの回転移動及び上方への平行移動）させる。そして、処理部１０は、横基準線Ｌ３及び縦基準線Ｌ４の設定がなされたリムライン表示タイヤ外形図を表示部１１に表示させるとともに、そのデータを処理済みデータとして記憶部１３に記憶させる。
【００３４】
ステップＳ４の後、処理部１０は、例えば表示部１１に「比較対象のタイヤ外形図のデータを選択してください」というメッセージを表示させる等しつつ、ユーザによる入力部１２の操作によって、予め記憶部１３に記憶された、比較対象としての、１つ又は複数の他のタイヤ外形図のデータのうちいずれか１つが、選択されるまで待機する（ステップＳ５、Ｎｏ）。ここで、比較対象となる他のタイヤ外形図のデータとは、例えば、評価対象のタイヤ２について所定期間前にステップＳ１〜Ｓ４の処理を行うことにより得られたタイヤ外形図のデータや、評価対象のタイヤ２と同じサイズの新品タイヤについてステップＳ１〜Ｓ４の処理を行うことにより得られたタイヤ外形図のデータの他、評価対象のタイヤ２と同じサイズのタイヤについてタイヤの設計図に基づいて作成されたタイヤ外形のデータにステップＳ３〜Ｓ４の処理を施したもの等とすることができる。
【００３５】
比較対象のタイヤ外形図のデータが選択されると（ステップＳ５、Ｙｅｓ）、図６に示すように、比較対象のタイヤ外形図（破線）と評価対象のタイヤ外形図（実線）とを重ね合わせて表示部１１に表示させて、ユーザが両者を比較できるようにする（ステップＳ６）。このとき、比較対象のタイヤ外形図と評価対象のタイヤ外形図とは、いずれも、 ＸＹ座標系において、リムライン表示タイヤ外形図に表される一対のリムラインＲＬを通る直線Ｌ１と、一対のリムラインＲＬどうしを結ぶ線分の垂直二等分線Ｌ２とが、それぞれ共通の横基準線Ｌ３及び縦基準線Ｌ４と重なった状態で、表示部１１に表示される。すなわち両図が、ＸＹ座標系において同一の位置に同一の姿勢で表れる。これにより、ユーザは、同一タイヤのタイヤ外形の経時変化の評価や、同一サイズの異なるタイヤのタイヤ外形どうしの比較を、簡単に、定量的かつ正確に行うことができる。
【００３６】
例えば、図６に示す例では、比較対象のタイヤが、一定期間前での評価対象のタイヤであり、両タイヤの外形図どうしを、各図上の各点のＸＹ座標に基づいて、数値的（定量的）に比較することができる。すなわち、評価対象のタイヤにおいてどの程度の摩耗がトレッド部及びショルダー部で生じているか、また、トレッド部の溝の溝底がどの程度下方に変位したか（すなわちどの程度タイヤ内圧が減少したか）等を、数値的（定量的）に評価することができる。
【００３７】
第１実施形態によれば、可搬式の計測器３００を用いて取得された未処理データのリムライン表示タイヤ外形図が、所定のＸＹ座標系において所期した位置に所期した姿勢で表れない場合であっても、これが所期した位置に所期した姿勢で表れるように、リムラインＲＬの位置を基準として、未処理データを処理（横基準線及び縦基準線の設定）することができる。これにより、ユーザは、評価対象のタイヤの外形図と比較対象のタイヤの外形図とが、所定のＸＹ座標系において同一の位置に同一の姿勢で表れた状態で、両図の比較を行うことができるので、同一タイヤのタイヤ外形の経時変化の評価や、同一サイズの異なるタイヤのタイヤ外形どうしの比較を、簡易かつ正確に行うことができる。したがって、本実施形態の技術を、例えば大型タイヤ等のタイヤ維持管理に利用することにより、適切な使用状況やメンテナンス時期の把握が可能となる。また、タイヤ外形の定量的な評価が出来るので、タイヤの新規開発に寄与することができる。
【００３８】
ここで、一般的に、リムラインＲＬは同一サイズのタイヤでは同一の位置に設けられ、また、リムラインＲＬの付近には適用リムが組み付けられるために、タイヤの使用による、リムラインＲＬ付近でのタイヤ外形の経時変化は起こりにくく、さらに、リムラインＲＬは、摩耗を受けにくい位置に形成されている。よって、リムラインＲＬを基準として未処理データを処理することにより、簡易かつ正確に、同一タイヤのタイヤ外形の経時変化の評価や、同一サイズの異なるタイヤのタイヤ外形どうしの比較を行うことができる。
【００３９】
また、タイヤ外形計測装置の計測器３００を本実施形態のように可搬式とすることとすれば、屋内外を問わず任意の場所でタイヤ外形の計測が可能になるので、ユーザの利便性を向上させることができる。  
【００４０】
なお、図３のステップＳ３では、ユーザによる入力部１２の操作によりリムラインＲＬを指定させる代わりに、処理部１０が、未処理データのリムライン表示タイヤ外形図に表れるリムラインＲＬの輪郭形状に基づいて、自動でリムラインＲＬを特定するようにしてもよい。ここで、リムラインＲＬの位置を示す点としては、図４の拡大図で示すように、リムラインＲＬの輪郭によって囲まれる領域の中心点であることが好ましいが、リムラインＲＬの輪郭上の点又はリムラインＲＬの輪郭によって囲まれる領域内の点である限り、任意の点とすることができる。
【００４１】
タイヤ外形計測装置１の構成は、図１を参照して説明したものに限られない。例えば、表示部１１を保持部３５に取り付けてもよいし、また、アンプ２００の機能を情報端末１００に実現させてもよい。
【００４２】
タイヤ外形計測プログラム１４は、複数のプログラムで構成してもよい。例えば、第１のプログラムで図３のステップＳ１〜Ｓ２を行い、第２のプログラムで図３のステップＳ３〜Ｓ４を行い、第３のプログラムで図３のステップＳ５〜Ｓ６を行うようにして、各プログラムがユーザによる入力部１２の操作により任意のタイミングで開始されるようにしてもよい。
【００４３】
図３のステップＳ４における横基準線Ｌ３及び縦基準線Ｌ４の設定では、所定のＸＹ座標系において、未処理データのリムライン表示タイヤ外形図を回転又は平行移動させずに、一対のリムラインＲＬを通る直線Ｌ１をそのまま横基準線Ｌ３とし、一対のリムラインＲＬどうしを結ぶ線分の垂直二等分線Ｌ２をそのまま縦基準線Ｌ４として記憶するようにしてもよい。この場合、ステップＳ６では、ＸＹ座標系において、評価対象のタイヤの外形図と比較対象のタイヤの外形図との、それぞれの横基準線Ｌ３及び縦基準線Ｌ４が重なり合うように、一方の図を回転移動及び／又は平行移動させて、表示部１１に表示させる。これにより、評価対象のタイヤ外形図と比較対象のタイヤ外形図とを、ＸＹ座標系において同一の位置に同一の姿勢で表すことができる。
【００４４】
図３のステップＳ４では、一対のリムラインＲＬの位置を基準とする限り、横基準線Ｌ３及び縦基準線Ｌ４の設定以外の方法で、未処理データを処理してもよい。例えば、図３のステップＳ４における未処理データの処理では、横基準線Ｌ３及び縦基準線Ｌ４の設定をせずに、ステップＳ３で指定された一対のリムラインＲＬの位置を記憶し、ステップＳ６では、評価対象のタイヤの外形図と比較対象のタイヤの外形図との、それぞれの一対のリムラインＲＬが重なり合うように、一方の図を回転移動及び／又は平行移動させて、表示部１１に表示させるようにしてもよい。この場合でも、簡単かつ正確に、同一タイヤのタイヤ外形の経時変化の評価や、同一サイズの異なるタイヤのタイヤ外形どうしの比較を行うことができる。
【００４５】
なお、上述した例では、所定の２次元直交座標系（ＸＹ座標系）を用いることにより、図３のステップＳ６において評価対象のタイヤと比較対象のタイヤとの外形図上の各点のＸＹ座標を把握することができるので、両図の比較を数値的（定量的）に行うことができる。しかし、本発明においては、座標系による数値的な座標を用いなくてもよく、この場合でも、両図の形状の差異に基づいて定量的な比較を行うことができる。
【００４６】
（第２実施形態）
図７を主に参照して、本発明の第２実施形態を説明する。なお、第２実施形態に関する以下の説明では、第１実施形態と異なる部分を中心に説明する。上述した第１実施形態では、タイヤ外形計測装置１の一部を構成する計測器３００が、可搬式に構成され、タイヤ２に取り付けられた状態で、タイヤ外形の測定データを出力する。これに対して、第２実施形態では、タイヤ外形計測装置１の一部を構成する計測器３００が、第１実施形態と同様に測定部３０を有するものの、第１実施形態とは異なり保持部を有しない。その代わりに、計測器３００を構成する測定部３０は、タイヤ２を取り付け可能な大型の保持機（図７の例では、タイヤのリトレッドに使用される台タイヤのバフ機）４００に固定される。そして、タイヤ２が保持機４００の所定位置に取り付けられた状態で、測定部３０は、タイヤ幅方向に沿うタイヤ２の外形のうち少なくとも一対のリムラインＲＬを含むタイヤ外形を光学的に測定して、その測定データを出力する。このとき、保持機４００は、タイヤ２を所定位置に保持するとともに、測定部３０をタイヤ２の外表面に対して所定の相対位置に保持する。この構成によっても、第１実施形態と同様に、測定部３０がタイヤ２に対して動かず、測定部３０によるタイヤ外形の測定を安定的に実施することができる。
【００４７】
なお、図７では、タイヤ外形計測装置１のうち情報端末１００とアンプ２００の図示を省略している。また、第２実施形態におけるタイヤ外形計測処理は、第１実施形態について図３〜図６を参照して説明したものと同様であるので、その説明を省略する。
【００４８】
第２実施形態によっても、第１実施形態と同様の効果を奏することができる。
【産業上の利用可能性】
【００４９】
本発明は、例えば航空機用タイヤ、建設車両用タイヤ、トラック・バス用タイヤ等、あらゆるタイプのタイヤの外形を計測する際に利用することができる。
【符号の説明】
【００５０】
１  タイヤ外形計測装置、  ２  タイヤ、１０  処理部、  １１  表示部、  １２  入力部、  １３  記憶部、  １４  タイヤ外形計測プログラム、  ３０  測定部、  ３０ａ〜３０ｆ  光学測定器、  ３５  保持部、  ３６  保持部のハンドル、  ３７  保持部の支持板、  ３８  保持部の脚、  ３９  保持部の天井板、  １００  情報端末、  ２００  アンプ、  ３００  計測器、  ４００  保持機、  ４０１、４０２  通信ケーブル、  Ｌ１  一対のリムラインを通る直線、  Ｌ２  一対のリムラインどうしを結ぶ線分の垂直二等分線、  Ｌ３  横基準線、  Ｌ４  縦基準線、  ＲＬ  リムライン
【図１】
2015021928.tif 000003
【図２】
2015021928.tif 000004
【図３】
2015021928.tif 000005
【図４】
2015021928.tif 000006
【図５】
2015021928.tif 000007
【図６】
2015021928.tif 000008
【図７】
2015021928.tif 000009